(57)【要約】【課題】たとえば書籍の購入履歴の確認を容易に行う。【解決手段】リードライト部１０５により、会員カード１５０に記憶されているユーザーＩＤ等のユーザー識別情報を読み取り、画像処理部により、購入履歴リストを作成し、システム制御部により、ユーザー識別情報に関連付けられた書籍の購入履歴情報（入手履歴情報）を情報管理サーバー２００から取得し、画像処理部に対して購入履歴情報に基づいた購入履歴リストの作成を指示する。そして、システム制御部は、画像処理部が作成した購入履歴リスト（入手履歴リスト）をパネル部１０６に表示させる。このように、リードライト部１０５により、会員カード１５０に記憶されているユーザーＩＤ等のユーザー識別情報を読み取らせるだけで、ユーザー識別情報に関連付けられた購入履歴リストをパネル部１０６に表示させることができる。【選択図】図１
2019204141.tif 000002
【特許請求の範囲】
【請求項１】
パネル部と、
ＩＣカードに記憶されているユーザー識別情報を読み取るリードライト部と、
入手履歴リストを作成する画像処理部と、
前記ユーザー識別情報に関連付けられた著作物の入手履歴情報を情報管理サーバーから取得し、前記画像処理部に対して前記入手履歴情報に基づいた前記入手履歴リストの作成を指示するシステム制御部とを備え、
前記システム制御部は、前記画像処理部が作成した前記入手履歴リストを前記パネル部に表示させる
ことを特徴とする著作物提示装置。
【請求項２】
前記入手履歴リストには、入手済みの書籍に係わる最新書籍の発売状態や発売予定日を示す発売情報が含まれることを特徴とする請求項１に記載の著作物提示装置。
【請求項３】
著作物提示装置を制御するコンピューターに実行させる著作物提示プログラムであって、
リードライト部により、ＩＣカードに記憶されているユーザー識別情報を読み取る工程と、
画像処理部により、入手履歴リストを作成する工程と、
システム制御部により、前記ユーザー識別情報に関連付けられた著作物の入手履歴情報を情報管理サーバーから取得し、前記画像処理部に対して前記入手履歴情報に基づいた前記入手履歴リストの作成を指示する工程とを有し、
前記システム制御部は、前記画像処理部が作成した前記入手履歴リストをパネル部に表示させる
ことを特徴とする著作物提示プログラム。
【発明の詳細な説明】
【技術分野】
【０００１】
本発明は、たとえば書籍、ＣＤ(Compact Disc)、ＤＶＤ(Digital Video Disk)、ゲームソフト等の著作物の提示に係わる著作物提示装置及び著作物提示プログラムに関する。
【背景技術】
【０００２】
たとえば、購読している書籍の最新刊（定期的に刊行される書籍の場合）や、購読している書籍の最新巻（シリーズ物の場合）の入荷情報が分からない場合、書店の本棚を確認することがある（以下、最新刊、及び最新巻を、最新書籍という）。また、自分が何巻まで購入していたかが不明の場合、どの巻から購入して良いか分からないこともある。
【０００３】
このような場合、特許文献１で提案されている電子本棚管理システムを適用することが考えられる。すなわち、この電子本棚管理システムは、本棚サーバーがユーザユーザー端末からのユーザーＩＤとＩＳＢＮ(International Standard Book Number：国際標準図書番号)コードとを受信し、ＩＳＢＮコードを書店端末へ転送すると、書店端末が、ＩＳＢＮコードに対応する日本図書コードを特定し、日本図書コードに対応する書籍情報を本棚サーバーに送る。そして、本棚サーバーが、書籍情報をユーザーＩＤをキーとしてまとめた蔵書情報を作成すると、ユーザー端末が、蔵書情報を本棚サーバーから受信して参照できる。
【先行技術文献】
【特許文献】
【０００４】
【特許文献１】特開２００４−１４５６４６号公報
【発明の概要】
【発明が解決しようとする課題】
【０００５】
上述した特許文献１の電子本棚管理システムでは、ユーザー端末から本棚サーバーにユーザーＩＤとＩＳＢＮコードとを送信すると、本棚サーバーがユーザーＩＤをキーとしてまとめた日本図書コードに対応する書籍情報に基づいた蔵書情報を作成するので、ユーザーが自分の所有する書籍の確認を容易に行える。また、蔵書情報を元に、最新書籍の情報やお勧め情報が配信されるので、情報収集の煩わしさや漏れがなくなる。
【０００６】
ところで、この電子本棚管理システムでは、パーソナルコンピュータや携帯電話等のユーザー端末により、自分の蔵書の確認に加え、最新書籍の情報やお勧め情報の確認ができる。ところが、これらの確認は、ユーザー端末の操作が必要となるため、確認操作が煩わしいという問題がある。
【０００７】
本発明は、このような状況に鑑みてなされたものであり、上記問題点を解消することができる著作物提示装置及び著作物提示プログラムを提供することを目的とする。
【課題を解決するための手段】
【０００８】
本発明の著作物提示装置は、パネル部と、ＩＣカードに記憶されているユーザー識別情報を読み取るリードライト部と、入手履歴リストを作成する画像処理部と、前記ユーザー識別情報に関連付けられた著作物の入手履歴情報を情報管理サーバーから取得し、前記画像処理部に対して前記入手履歴情報に基づいた前記入手履歴リストの作成を指示するシステム制御部とを備え、前記システム制御部は、前記画像処理部が作成した前記入手履歴リストを前記パネル部に表示させることを特徴とする。
また、前記入手履歴リストには、入手済みの書籍に係わる最新書籍の発売状態や発売予定日を示す発売情報が含まれることを特徴とする。
本発明の著作物提示プログラムは、著作物提示装置を制御するコンピューターに実行させる著作物提示プログラムであって、リードライト部により、ＩＣカードに記憶されているユーザー識別情報を読み取る工程と、画像処理部により、入手履歴リストを作成する工程と、システム制御部により、前記ユーザー識別情報に関連付けられた著作物の入手履歴情報を情報管理サーバーから取得し、前記画像処理部に対して前記入手履歴情報に基づいた前記入手履歴リストの作成を指示する工程とを有し、前記システム制御部は、前記画像処理部が作成した前記入手履歴リストをパネル部に表示させることを特徴とする。
本発明の著作物提示装置及び著作物提示プログラムでは、たとえばリードライト部により、ＩＣカードに記憶されているユーザー識別情報を読み取り、画像処理部により、入手履歴リストを作成し、システム制御部により、ユーザー識別情報に関連付けられた著作物の入手履歴情報を情報管理サーバーから取得し、画像処理部に対して入手履歴情報に基づいた入手履歴リストの作成を指示する。そして、システム制御部は、画像処理部が作成した入手履歴リストをパネル部に表示させる。
このように、リードライト部により、ＩＣカードに記憶されているユーザー識別情報を読み取らせることで、たとえばユーザー識別情報に関連付けられた入手履歴リストをパネル部に表示させることができる。
【発明の効果】
【０００９】
本発明の著作物提示装置及び著作物提示プログラムによれば、リードライト部により、ＩＣカードに記憶されているユーザー識別情報を読み取らせることで、たとえばユーザー識別情報に関連付けられた入手履歴リストをパネル部に表示させることができ、たとえば著作物の入手履歴の確認を容易に行うことができる。
【図面の簡単な説明】
【００１０】
【図１】本発明の著作物提示装置をＭＦＰに適用した場合の一実施形態を説明するための図である。
【図２】図１のＭＦＰ、及び情報管理サーバー等の構成の一例について説明する図である。
【図３】図１のＭＦＰのパネル部に表示される購入履歴リストの一例について説明するための図である。
【図４】図１のＭＦＰでの著作物提示処理について説明するためのフローチャートである。
【発明を実施するための形態】
【００１１】
以下、本発明の著作物提示装置の一実施形態を、図１〜図４を参照しながら説明する。なお、以下の説明においての著作物提示装置の一例としては、たとえば印刷機能、コピー機能、ＦＡＸ機能、ネットワーク経由でのデータ送受信機能等を搭載した複合的な周辺機器であるＭＦＰ(Multifunction Peripheral)であるものとする。また、以下の説明においての著作物としては、たとえば書籍、ＣＤ(Compact Disc)、ＤＶＤ(Digital Video Disk)、ゲームソフト等が対象となる。また、これらの著作物は、入手の具体的な例として、購入する場合と、レンタルする場合とがある。以下では、説明の都合上、著作物を書籍として説明する。また、書籍は、購入する場合として説明する。また、購読している書籍には、最新刊（定期的に刊行される書籍の場合）や、最新巻（シリーズ物の場合）があるが、以下では、最新刊、及び最新巻を、最新書籍と記載する。
【００１２】
まず、図１に示すように、ＭＦＰ１００は、ネットワーク３００を介し、情報管理サーバー２００に接続されている。なお、ネットワーク３００は、インターネットやＬＡＮ(Local Area Network)等を用いることができる。情報管理サーバー２００は、ユーザーＩＤ（identification）等のユーザー識別情報に関連付けられたユーザーの個人情報と、書籍の購入履歴情報（入手履歴情報）とを管理する。
【００１３】
ＭＦＰ１００は、詳細については後述するが、ユーザーが保持する会員カード１５０の情報を読み取るリードライト部１０５を有している。ここで、会員カード１５０は、接触式、又は非接触式のＩＣ(Integrated Circuit)カードを用いることができる。また、会員カード１５０は、ユーザーの個人情報等を関連付けるユーザーＩＤ等のユーザー識別情報を保持している。
【００１４】
次に、図２を参照し、ＭＦＰ１００、及び情報管理サーバー２００等の構成の一例について説明する。ＭＦＰ１００は、スキャナー部１０１、プリンター部１０２、ＦＡＸ（Facsimile)部１０３、Ｉ／Ｆ（インターフェース）１０４、リードライト部１０５、パネル部１０６、及びＨＤＤ１０７の動作を制御する制御部１１０を備えている。
【００１５】
スキャナー部１０１は、イメージセンサ（図示省略）によって読み取られる図示しない用紙上の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１６】
Ｉ／Ｆ１０４は、ネットワーク３００を介し、情報管理サーバー２００等との通信を受け持つ。なお、Ｉ／Ｆ１０４は、図示しないコンテンツサーバーやウェブサーバー等との通信を受け持ってもよい。リードライト部１０５は、会員カード１５０のユーザーＩＤ等のユーザー識別情報を読み取る。なお、リードライト部１０５による会員カードＩＤのユーザー識別情報を読み取る方式は、接触式であってもよいし、非接触式であってもよい。パネル部１０６は、ＭＦＰ１００の印刷機能、コピー機能、ＦＡＸ機能、ネットワーク経由でのデータ送受信機能や、各種設定のための表示を行うタッチパネル等のデバイスである。また、パネル部１０６は、会員カード１５０の読み取りの指示を受け付ける内容を表示したり、後述の図３に示す購入履歴リスト４００（入手履歴リスト）を表示したりする。
【００１７】
制御部１１０は、アプリケーションプログラム、著作物提示プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、ＲＯＭ(Read-Only Memory)１１６、画像処理部１１７、リードライト制御部１１８、パネル操作制御部１１９、ＨＤＤ制御部１２０、システム制御部１２１を備えている。また、これらは、データバス１２２に接続されている。
【００１８】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク３００経由でのデータ等の送受信の制御を行う。ＲＡＭ１１５は、プログラムを実行するためのワークメモリーである。また、ＲＡＭ１１５は、画像処理部１１７によって画像処理された印刷データを記憶する。ＲＯＭ１１６には、各部の動作チェック等を行う制御プログラムが記憶されている。
【００１９】
画像処理部１１７は、スキャナー部１０１によって読み取られた画像データに対する画像処理（ラスタライズ）を行う。また、画像処理部１１７は、ＨＤＤ１０７のユーザーボックスに登録された印刷ジョブに対する画像処理（ラスタライズ）を行う。なお、システム制御部１２１は、画像処理部１１７が画像処理した印刷データを、一旦、ＲＡＭ１１５に記憶させる。また、画像処理部１１７は、情報管理サーバー２００から取得したユーザー識別情報に基づく書籍の購入履歴情報を元に、後述の図３に示す購入履歴リスト４００を作成する。
【００２０】
リードライト制御部１１８は、リードライト部１０５による会員カード１５０のユーザーＩＤ等のユーザー識別情報の読み取り動作を制御する。パネル操作制御部１１９は、パネル部１０６の表示動作を制御する。また、パネル操作制御部１１９は、パネル部１０６を介し、印刷、コピー、ＦＡＸ、ネットワーク３００経由でのデータ送受信等の開始、認証情報の入力等の入力等を受け付ける。また、パネル操作制御部１１９は、パネル部１０６を介して会員カード１５０の読み取りの指示を受け付けたり、パネル部１０６に後述の図３に示す購入履歴リスト４００を表示させたりする。ＨＤＤ制御部１２０は、ＨＤＤ１０７に対する情報の書き込み又は読み出しの動作を制御する。システム制御部１２１は、各部の連携動作等を制御する。また、システム制御部１２１は、パネル操作制御部１１９が会員カード１５０の読み取りの指示を受け付けると、会員カード１５０のユーザーＩＤ等のユーザー識別情報に基づいた書籍の購入履歴情報を情報管理サーバー２００から取得する。
【００２１】
情報管理サーバー２００は、Ｉ／Ｆ２０１、ＨＤＤ２０２を制御する制御部２１０を備えている。Ｉ／Ｆ２０１は、ネットワーク３００経由でのＭＦＰ１００等との通信を受け持つ。ＨＤＤ２０２は、ユーザーＩＤ等のユーザー識別情報に関連付けられているユーザーの個人情報と、書籍の購入履歴情報とを記憶する。
【００２２】
制御部２１０は、アプリケーションプログラム及び制御プログラム等を実行して情報管理サーバー２００全体の動作を制御するプロセッサーである。制御部２１０は、通信制御部２１１、ＲＡＭ２１２、ＲＯＭ２１３、情報管理部２１４、ＨＤＤ制御部２１５、システム制御部２１６を備えている。また、これらは、データバス２１７に接続されている。
【００２３】
通信制御部２１１は、Ｉ／Ｆ２０１を介し、ネットワーク３００経由でのデータ等の送受信の制御を行う。ＲＡＭ２１２は、プログラムを実行するためのワークメモリーである。ＲＯＭ２１３は、各部の動作チェック等を行う制御プログラムを記憶している。情報管理部２１４は、ＨＤＤ２０２に記憶されている、ユーザーＩＤ等のユーザー識別情報に関連付けられたユーザーの個人情報と、書籍の購入履歴情報とを図示しない購入履歴管理テーブルを用いて管理する。また、情報管理部２１４は、ユーザーが新たな書籍を購入すると、ユーザーＩＤ等のユーザー識別情報に関連付けられた購入履歴情報を更新する。なお、ユーザーが新たに購入した書籍の情報は、たとえば図示しない書店のＰＯＳ(Point-Of-Sales)システム等の端末からネットワーク３００経由で取得できるようにしてもよい。また、情報管理部２１４は、購入履歴情報に登録された書籍に続く巻の書籍であって、購入履歴情報に登録されていない書籍を定期的に検索し、当該書籍がある場合、その発売状況を購入履歴情報に追加して更新する。なお、書籍の検索は、例えば、予め出版社から取得してＨＤＤ２０２に記憶した書籍の情報を検索したり、出版社のデータベースにアクセスしたりすることによって行うことができる。
【００２４】
ＨＤＤ制御部２１５は、ＨＤＤ２０２に対する情報の書き込み又は読み出しの動作を制御する。システム制御部２１６は、ＭＦＰ１００からの書籍の購入履歴情報の要求を受け取ると、情報管理部２１４が管理する購入履歴管理テーブルを参照し、ユーザーＩＤ等のユーザー識別情報に関連付けられた書籍の購入履歴情報をＨＤＤ２０２から読み出し、ＭＦＰ１００に送信する。また、システム制御部２１６は、図示しないＰＯＳシステム等から、ユーザーが新たに購入した書籍の情報を受け取ると、情報管理部２１４に対して購入履歴情報を更新させる。
【００２５】
会員カード１５０は、たとえば非接触式によって情報を送信する制御部１６０を有している。また、制御部１６０は、アンテナ部１６１とＩＣチップ１６２とを有している。アンテナ部１６１は、特定の周波数（たとえば１３．５６ＭＨｚ）を利用し、リードライト部１０５を介してＭＦＰ１００との通信を行う。ＩＣチップ１６２は、ユーザーＩＤ等のユーザー識別情報を記憶する図示しない不揮発性メモリーを有している。ここで、ＭＦＰ１００のリードライト部１０５が駆動すると、半径が１０ｃｍ程度の狭い範囲内で磁界を発生する。会員カード１５０のアンテナ部１６１が磁界を横切ると、電流を発生することで、ＩＣチップ１６２が起動する。そして、ＩＣチップ１６２は、たとえば不揮発性メモリーに記憶されているユーザーＩＤ等のユーザー識別情報をアンテナ部１６１から電波を介して送信する。
【００２６】
次に、図３を参照し、ＭＦＰ１００のパネル部１０６に表示される購入履歴リスト４００について説明する。購入履歴リスト４００は、上述したように、リードライト部１０５が会員カード１５０のユーザーＩＤ等のユーザー識別情報を読み取ると、システム制御部１２１が情報管理サーバー２００からユーザー識別情報に基づいた書籍の購入履歴情報を取得することで、パネル部１０６に表示される。
【００２７】
ここで、購入履歴リスト４００には、書籍の項目４０１、タイトルの項目４０２、書籍コードの項目４０３、購入日の項目４０５、備考の項目４０６が含まれている。書籍の項目４０１には、購入した書籍を区別する、Ａ書籍、Ｂ書籍、Ｃ書籍が表記されている。タイトルの項目４０２には、Ａ書籍、Ｂ書籍、Ｃ書籍のそれぞれのタイトルが表記されている。書籍コードの項目４０３には、Ａ書籍、Ｂ書籍、Ｃ書籍のそれぞれの書籍コードが表記されている。なお、書籍コードには、ＩＳＢＮ(International Standard Book Number：国際標準図書番号)コード、ＩＳＢＮコードに対応する日本図書コード等が含まれる。購入日の項目４０５には、Ａ書籍、Ｂ書籍、Ｃ書籍のそれぞれの購入日が表記されている。
【００２８】
備考の項目４０６には、Ａ書籍、Ｂ書籍、Ｃ書籍のそれぞれの最新書籍についての情報が登録されている。すなわち、Ａ書籍の最新書籍が４巻であり、発売中であることが表記されている。また、Ｂ書籍の最新書籍が６巻であり、発売中であることが表記されている。また、Ｃ書籍の最新書籍が５巻であるが、発売前であることから、発売予定日が表記されている。また、備考の項目４０６には、たとえばＡ書籍に関連する最新書籍（最新刊）の発売予定日が表記されている。なお、備考の項目４０６には、Ａ書籍、Ｂ書籍、Ｃ書籍のそれぞれの未購入の情報が登録されていてもよい。また、備考の項目４０６には、最新書籍の書籍を取り扱っている店舗の地図や住所、又は最新書籍を陳列している棚の位置等の情報が表記されていてもよい。また、備考の項目４０６には、Ａ書籍、Ｂ書籍、Ｃ書籍のそれぞれに関連する書籍の情報や、Ａ書籍、Ｂ書籍、Ｃ書籍のそれぞれに関連するお勧めの書籍の情報が表記されていてもよい。また、備考の項目４０６には、Ａ書籍、Ｂ書籍、Ｃ書籍のいずれかを買ったユーザーが他にどのような書籍を買っているかの情報が表記させていてもよい。また、Ａ書籍、Ｂ書籍、Ｃ書籍のいずれかの著者による他の書籍が表記されるようにしてもよい。つまり、ユーザーの嗜好に合った書籍が表記されるようにすると、ユーザーに対する購入アシスト効果を高めることができる。なお、ユーザーの嗜好に合った書籍が表記については、備考の項目４０６に限らず、購入履歴リスト４００の余白であってもよいし、購入履歴リスト４００とは別の白紙のページであってもよい。また、購入履歴リスト４００の内容の表示順については、ソート機能により、たとえば購入日の新しい順、又は古い順に並べ替えしてもよい。また、購入履歴リスト４００は、パネル部１０６からの印刷指示により、印刷できるようにしてもよい。この場合、印刷された購入履歴リスト４００にペン等による印やメモ書き等を表示することができる。
【００２９】
次に、図４を参照し、ＭＦＰ１００での著作物提示処理について説明する。なお、以下では、ユーザーの書籍に係わる購入履歴リスト４００が作成されてパネル部１０６に表示される場合として説明する。
【００３０】
（ステップＳ１０１）
システム制御部１２１は、会員カード１５０の読み取り指示を受け付けたかどうかを判断する。
この場合、システム制御部１２１は、パネル操作制御部１１９がパネル部１０６を介して会員カード１５０の読み取り指示を受け付けたことを示す通知が無ければ会員カード１５０の読み取り指示を受け付けていないと判断する（ステップＳ１０１：Ｎｏ）。
これに対し、システム制御部１２１は、パネル操作制御部１１９がパネル部１０６を介して会員カード１５０の読み取り指示を受け付けたことを示す通知が有れば会員カード１５０の読み取り指示を受け付けたと判断し（ステップＳ１０１：Ｙｅｓ）、ステップＳ１０２に移行する。
このとき、システム制御部１２１は、リードライト制御部１１８に対し、リードライト部１０５による情報の読み取りを指示する。
【００３１】
（ステップＳ１０２）
システム制御部１２１は、会員カード１５０からの情報を取得したかどうかを判断する。
この場合、システム制御部１２１は、リードライト制御部１１８からの会員カード１５０からのユーザーＩＤ等のユーザー識別情報を受け取ったことを示す通知が無ければ会員カード１５０からの情報を取得していないと判断する（ステップＳ１０２：Ｎｏ）。
これに対し、システム制御部１２１は、リードライト制御部１１８からの会員カード１５０からのユーザーＩＤ等のユーザー識別情報を受け取ったことを示す通知が有れば会員カード１５０からの情報を取得したと判断し（ステップＳ１０２：Ｙｅｓ）、ステップＳ１０３に移行する。
【００３２】
（ステップＳ１０３）
システム制御部１２１は、ユーザー識別情報に関連付けられた購入履歴情報を取得する。
この場合、システム制御部１２１は、通信制御部１１４に対して購入履歴情報の取得を指示する。
このとき、通信制御部１１４は、ネットワーク３００を介して情報管理サーバー２００に購入履歴情報の送信を要求する。また、通信制御部１１４は、情報管理サーバー２００への要求に際し、ユーザー識別情報を併せて送信する。
情報管理サーバー２００側では、システム制御部２１６がＭＦＰ１００からの購入履歴情報の要求を受け取ると、情報管理部２１４が管理する購入履歴管理テーブルを参照する。また、システム制御部２１６がユーザー識別情報に関連付けられた書籍の購入履歴情報をＨＤＤ２０２から読み出し、通信制御部２１１を介してＭＦＰ１００に送信する。
【００３３】
（ステップＳ１０４）
システム制御部１２１は、購入履歴情報を取得したかどうかを判断する。
この場合、システム制御部１２１は、通信制御部１１４からの購入履歴情報を取得したことを示す通知が無ければ購入履歴情報を取得していないと判断する（ステップＳ１０４：Ｎｏ）。
これに対し、システム制御部１２１は、通信制御部１１４からの購入履歴情報を取得したことを示す通知が有れば購入履歴情報を取得したと判断し（ステップＳ１０４：Ｙｅｓ）、ステップＳ１０５に移行する。
【００３４】
（ステップＳ１０５）
システム制御部１２１は、画像処理部１１７に対して購入履歴リスト４００の作成を指示する。
このとき、画像処理部１１７は、情報管理サーバー２００から取得したユーザーＩＤ等のユーザー識別情報に関連付けられた購入履歴情報を元に、図３に示した購入履歴リスト４００を作成する。
【００３５】
（ステップＳ１０６）
システム制御部１２１は、購入履歴リスト４００の作成が完了したかどうかを判断する。
この場合、システム制御部１２１は、画像処理部１１７からの購入履歴リスト４００の作成が完了したことを示す通知が無ければ購入履歴リスト４００の作成が完了していないと判断する（ステップＳ１０６：Ｎｏ）。
これに対し、システム制御部１２１は、画像処理部１１７からの購入履歴リスト４００の作成が完了したことを示す通知が有れば購入履歴リスト４００の作成が完了したと判断し（ステップＳ１０６：Ｙｅｓ）、ステップＳ１０７に移行する。
このとき、システム制御部１２１は、画像処理部１１７が作成した購入履歴リスト４００をＲＡＭ１１５に記憶させる。
【００３６】
（ステップＳ１０７）
システム制御部１２１は、購入履歴リスト４００を表示させる。
この場合、システム制御部１２１は、パネル操作制御部１１９に対して購入履歴リスト４００の表示を指示する。
このとき、パネル操作制御部１１９は、ＲＡＭ１１５に記憶されている購入履歴リスト４００を読み出し、パネル部１０６に表示させる。
【００３７】
なお、以上の手順では、ユーザーの書籍に係わる購入履歴リスト４００が作成されてパネル部１０６に表示される場合として説明したが、この例に限るものではない。すなわち、書籍をレンタルする場合も上記同様の手順に従うことで、会員カード１５０のユーザーＩＤ等のユーザー識別情報をリードライト部１０５によって読み取らせることにより、書籍のレンタル履歴リストを作成でき、パネル部１０６に表示させることができる。また、書籍に限らず、ＣＤ、ＤＶＤ、ゲームソフト等の著作物の購入やレンタルにおいても、上記同様の手順に従うことで、会員カード１５０のユーザーＩＤ等のユーザー識別情報をリードライト部１０５によって読み取らせることにより、これらの著作物の購入、又はレンタルの履歴リストを作成でき、パネル部１０６に表示させることができる。
【００３８】
このように、本実施形態では、リードライト部１０５により、会員カード１５０（ＩＣカード）に記憶されているユーザーＩＤ等のユーザー識別情報を読み取り、画像処理部１１７により、購入履歴リスト４００を作成し、システム制御部１２１により、ユーザー識別情報に関連付けられた書籍（著作物）の購入履歴情報（入手履歴情報）を情報管理サーバー２００から取得し、画像処理部１１７に対して購入履歴情報に基づいた購入履歴リスト４００（入手履歴リスト）の作成を指示する。そして、システム制御部１２１は、画像処理部１１７が作成した購入履歴リスト４００をパネル部１０６に表示させる。このように、リードライト部１０５により、会員カード１５０（ＩＣカード）に記憶されているユーザーＩＤ等のユーザー識別情報を読み取らせることで、ユーザー識別情報に関連付けられた購入履歴リスト４００をパネル部１０６に表示させることができるので、書籍（著作物）の購入履歴の確認を容易に行うことができる。
【符号の説明】
【００３９】
１００  ＭＦＰ
１０１  スキャナー部
１０２  プリンター部
１０３  ＦＡＸ部
１０４、２０１  Ｉ／Ｆ
１０５  リードライト部
１０６  パネル部
１０７、２０２  ＨＤＤ
１１０、２１０  制御部
１１１  スキャナー制御部
１１２  プリンター制御部
１１３  ＦＡＸ制御部
１１４、２１１  通信制御部
１１５、２１２  ＲＡＭ
１１６、２１３  ＲＯＭ
１１７  画像処理部
１１８  リードライト制御部
１１９  パネル操作制御部
１２０、２１５  ＨＤＤ制御部
１２１、２１６  システム制御部
１２２、２１７  データバス
１５０  会員カード
１６０  制御部
１６１  アンテナ部
１６２  ＩＣチップ
２００  情報管理サーバー
２１４  情報管理部
３００  ネットワーク
４００  購入履歴リスト
４０１〜４０６  項目
【図１】
2019204141.tif 000003
【図２】
2019204141.tif 000004
【図３】
2019204141.tif 000005
【図４】
2019204141.tif 000006